【手続補正書】
【提出日】平成18年11月13日(2006.11.13)
【手続補正１】
【補正対象書類名】明細書
【補正対象項目名】発明の名称
【補正方法】変更
【補正の内容】
【発明の名称】送受信装置、受信装置及び送信装置
【手続補正２】
【補正対象書類名】明細書
【補正対象項目名】特許請求の範囲
【補正方法】変更
【補正の内容】
【特許請求の範囲】
【請求項１】  所定の変調手段により得られたデジタルデータを復調して送信する送信部と、この送信部からの復調データを受信して再生する受信部と、上記送信部と受信部間で上記復調データを通信する通信系とを備えてなる送受信装置であって、
上記送信部には、
上記デジタルデータを再生する再生手段と、
上記再生手段にて再生された上記デジタルデータを復調する復調手段と、
上記復調手段からの復調データを一時的に蓄積する第１の記憶手段と、
上記第１の記憶手段から読み出された上記復調データに対してフェード処理を施す第１のフェード手段と、
上記復調手段からの復調データを上記通信系に送り出す送信手段と、
上記送信手段にて送信される上記復調データが無効データであるか有効データであるかを示す無効／有効フラグを上記復調データに付加するとともに、上記第１のフェード手段からのフェード処理データと上記復調手段からの上記復調データとを選択的に切り換えさせる第１の制御手段とを備え、
上記受信部には、
上記送信部の送信手段から上記通信系を介して送信されてきた上記復調データを受信する受信手段と、
上記受信手段にて受信した上記復調データを一時的に記憶する第２の記憶手段と、
上記第２の記憶手段を介して供給される上記復調データに対して第２のフェード処理を施すフェード手段と、
上記第２の記憶手段に一時記憶された上記復調データに上記送信部で付加された無効／有効フラグに基づいて上記第２のフェード処理手段からのフェード出力データと上記第２の記憶手段からの上記復調データとを切り換えさせる第２の制御手段と
を備えることを特徴とする送受信装置。
【請求項２】  上記第１の制御手段は、上記復調手段による復調データに不連続点が有るか／無いかに応じてその復調データを所定時間長でまとめた単位毎に無効／有効フラグを付加することを特徴とする請求項１記載の送受信装置。
【請求項３】  上記送信部におけるデジタルデータの再生速度を変化させる操作手段を備え、上記第１の制御手段は上記操作手段の操作に応じて、上記送信部の第１のフェード手段からのフェード処理データと上記復調手段からの復調データとを切り換えさせることを特徴とする請求項１記載の送受信装置。
【請求項４】  上記送信部の上記第１の記憶手段には上記復調データとその復調データに付加された経過時間に関する情報が記憶されることを特徴とする請求項１記載の送受信装置。
【請求項５】  上記受信部の上記第２の記憶手段には上記復調データとその復調データに付加された上記無効／有効フラグが記憶されることを特徴とする請求項１記載の送受信装置。
【請求項６】  上記所定の変調手段はΔΣ変調により１ビットデジタルデータを生成するΔΣ変調器であることを特徴とする請求項１記載の送受信装置。
【請求項７】  上記送信部は記録媒体から読みだしたデジタルデータを上記再生手段にて再生し、上記復調手段にて復調することを特徴とする請求項１記載の送受信装置。
【請求項８】  所定の通信路を介して送信されるデジタルオーデイオデータと上記デジタルオーデイオデータのフレーム単位が有効か無効かを表す有効／無効フラグとを受信する受信手段と、
上記受信手段で受信したデジタルオーデイオデータと上記有効／無効フラグを一時的に記憶する記憶手段と、
上記記憶手段を介して供給される上記デジタルオーデイオデータに対してフェード処理を施すフェード処理手段と、
上記記憶手段を介して供給される有効／無効フラグに応じて、上記記憶手段からのデジタルオーデイオデータの出力と上記フェード処理手段からのフェード処理を施されたデジタルオーデイオデータを切換える制御手段と、
上記制御手段にて選択されたデジタルオーデイオデータをアナログオーデイオデータに変換するＤ／Ａ変換手段と
を備えたこと特徴とする受信装置。
【請求項９】  上記通信路にはデジタルオーデイオデータに付随するタイムコードの伝送は行われていないことを特徴とする請求項８記載の受信装置。
【請求項１０】  上記記憶手段に記憶されている上記有効／無効フラグを先読みし、無効フラグが付与されているデジタルオーデイオデータフレームの前方の有効フラグが付与されているデジタルオーデイオデータフレームからフェード処理を施すように上記制御手段が制御することを特徴とする請求項８記載の受信装置。
【請求項１１】  上記デジタルオーデイオデータはΣΔ変調された１ビットデジタルデータであることを特徴とする請求項８記載の受信装置。
【請求項１２】  所定の変調が施されたデジタルオーデイオデータを再生する再生手段と、
上記再生手段にて再生された上記所定の変調が施されたデジタルオーデイオデータを復調する復調手段と、
上記復調手段からの復調されたデジタルオーデイオデータを一時的に蓄積する記憶手段と、
上記記憶手段から読み出された上記復調されたデジタルオーデイオデータに対してフェード処理を施すフェード手段と、
上記復調手段からの復調されたデジタルオーデイオデータのフレーム単位が有効か無効かを表す有効／無効フラグを発生するとともに、上記記憶手段から読み出された上記復調されたデジタルオーデイオデータの出力と上記フェード処理手段からのフェード処理を施されたデジタルオーデイオデータとを切換える制御する制御手段と、
上記復調手段からの復調されたデジタルオーデイオデータと上記制御手段からの有効／無効フラグを通信路に送信する送信手段と
を備えたことを特徴とする送信装置。
【請求項１３】  上記通信路には復調されたデジタルオーデイオデータに付随するタイムコードの伝送は行われていないことを特徴とする請求項１２記載の送信装置。
【請求項１４】  上記送信装置は更にＣＵＥ／ＲＥＶや選曲を行う操作手段を備え、
上記操作手段の操作に応じて上記制御手段は上記有効／無効フラグを生成することを特徴とする請求項１２記載の送信装置。
【請求項１５】  上記操作手段の操作によって発生するデジタルオーデイオデータの不連続点の直前のデジタルオーデイオデータフレームに対して無効フラグを付与することを特徴とする請求項１４記載の送信装置。
【請求項１６】  上記操作手段の操作によって発生するデジタルオーデイオデータの不連続点の直後のデジタルオーデイオデータフレームに対して無効フラグを付与することを特徴とする請求項１４記載の送信装置。
【請求項１７】  上記デジタルオーデイオデータはΣΔ変調された１ビットデジタルデータであることを特徴とする請求項１２項記載の送信装置。
【請求項１８】  上記記憶手段には復調手段からの復調されたデジタルオーデイオデータとともに付随するタイムコードも記憶されることを特徴とする請求項１２記載の送信装置。
【手続補正３】
【補正対象書類名】明細書
【補正対象項目名】０００１
【補正方法】変更
【補正の内容】
【０００１】
【発明の属する技術分野】
本発明は、所定のデジタルデータを再生して送信するとともに、送信されたデジタルデータを受信して再生する送受信装置に関する。また、受信装置及び送信装置に関する。
【手続補正４】
【補正対象書類名】明細書
【補正対象項目名】０００７
【補正方法】変更
【補正の内容】
【０００７】
本発明は、上記実情に鑑みてなされてものであり、タイムコードの送信が許されていない通信系に不連続なデジタル音楽データを出力しても、受信側再生装置にて不連続音を発生させることのない送受信装置の提供を目的とする。また、受信装置及び送信装置の提供を目的とする。
【手続補正５】
【補正対象書類名】明細書
【補正対象項目名】０００８
【補正方法】変更
【補正の内容】
【０００８】
【課題を解決するための手段】
本発明に係る送受信装置は、上記課題を解決するために、所定の変調手段により得られたデジタルデータを復調して送信する送信部と、この送信部からの復調データを受信して再生する受信部と、上記送信部と受信部間で上記復調データを通信するための通信系とを備えてなる送受信装置であって、上記送信部には、上記デジタルデータを再生する再生手段と、上記再生手段にて再生された上記デジタルデータを復調する復調手段と、上記復調手段からの復調データを一時的に蓄積する第１の記憶手段と、上記第１の記憶手段から読み出された上記復調データに対してフェード処理を施す第１のフェード手段と、上記復調手段からの復調データを上記通信系に送り出す送信手段と、上記送信手段にて送信される上記復調データが無効データであるか有効データであるかを示す無効／有効フラグを上記復調データに付加するとともに、上記第１のフェード手段からのフェード処理データと上記復調手段からの上記復調データとを選択的に切り換えさせる第１の制御手段とを備え、上記受信部には、上記送信部の送信手段から上記通信系を介して送信されてきた上記復調データを受信する受信手段と、上記受信手段にて受信した上記復調データを一時的に記憶する第２の記憶手段と、上記第２の記憶手段を介して供給される上記復調データに対して第２のフェード処理を施すフェード手段と、上記第２の記憶手段に一時記憶された上記復調データに上記送信部で付加された無効／有効フラグに基づいて上記第２のフェード処理手段からのフェード出力データと上記第２の記憶手段からの上記復調データとを切り換えさせる第２の制御手段とを備える。
ここで、上記第１の制御手段は、上記復調手段による復調データに不連続点が有るか／無いかに応じてその復調データを所定時間長でまとめた単位毎に無効／有効フラグを付加する。
また、上記送信部におけるデジタルデータの再生速度を変化させる操作手段を備え、上記第１の制御手段は上記操作手段の操作に応じて、上記送信部の第１のフェード手段からのフェード処理データと上記復調手段からの復調データとを切り換えさせる。
【手続補正６】
【補正対象書類名】明細書
【補正対象項目名】０００９
【補正方法】変更
【補正の内容】
【０００９】
本発明に係る受信装置は、上記課題を解決するために、所定の通信路を介して送信されるデジタルオーデイオデータと上記デジタルオーデイオデータのフレーム単位が有効か無効かを表す有効／無効フラグとを受信する受信手段と、上記受信手段で受信したデジタルオーデイオデータと上記有効／無効フラグを一時的に記憶する記憶手段と、上記記憶手段を介して供給される上記デジタルオーデイオデータに対してフェード処理を施すフェード処理手段と、上記記憶手段を介して供給される有効／無効フラグに応じて、上記記憶手段からのデジタルオーデイオデータの出力と上記フェード処理手段からのフェード処理を施されたデジタルオーデイオデータを切換える制御手段と、上記制御手段にて選択されたデジタルオーデイオデータをアナログオーデイオデータに変換するＤ／Ａ変換手段とを備える。
【手続補正７】
【補正対象書類名】明細書
【補正対象項目名】００１０
【補正方法】変更
【補正の内容】
【００１０】
本発明に係る送信装置は、上記課題を解決するために、所定の変調が施されたデジタルオーデイオデータを再生する再生手段と、上記再生手段にて再生された上記所定の変調が施されたデジタルオーデイオデータを復調する復調手段と、上記復調手段からの復調されたデジタルオーデイオデータを一時的に蓄積する記憶手段と、上記記憶手段から読み出された上記復調されたデジタルオーデイオデータに対してフェード処理を施すフェード手段と、上記復調手段からの復調されたデジタルオーデイオデータのフレーム単位が有効か無効かを表す有効／無効フラグを発生するとともに、上記記憶手段から読み出された上記復調されたデジタルオーデイオデータの出力と上記フェード処理手段からのフェード処理を施されたデジタルオーデイオデータとを切換える制御する制御手段と、上記復調手段からの復調されたデジタルオーデイオデータと上記制御手段からの有効／無効フラグを通信路に送信する送信手段とを備える。